(57)【要約】【課題】測定テープのロックを解除し易くすることができる巻尺を提供する。【解決手段】巻尺１は、ケース１０と、測定テープ２０と、ストッパー３０とを備えている。ケース１０は、外面１０ａと、内面１０ｂと、スリット１０ｃと、ロック状態保持部１２とを含んでいる。ストッパー３０は、接続部３１と、操作部３２と、板状弾性部３３とを含んでいる。板状弾性部３３が測定テープ２０を押圧しつつロック状態保持部１２に係合することによりストッパー３０が測定テープ２０をロックした状態で、操作部３２はケース１０の外面１０ａとの間に隙間を隔てて配置されている。操作部３２が隙間を小さくするようにケース１０の外面１０ａに向けて移動することにより板状弾性部３３とロック状態保持部１２との係合が浅くなる。【選択図】図３
2020030078.tif 000002
【特許請求の範囲】
【請求項１】
ケースと、
前記ケース内に自動で巻き取られる測定テープと、
前記測定テープが前記ケースから引き出された状態で、前記測定テープをロック可能なストッパーとを備え、
前記ケースは、外面と、内面と、前記外面と前記内面とを貫通するスリットと、前記内面に設けられたロック状態保持部とを含み、
前記ストッパーは、前記スリットに挿入された接続部と、前記ケース外で前記接続部に接続された操作部と、前記ケース内で前記接続部に接続された板状弾性部とを含み、
前記板状弾性部が前記測定テープを押圧しつつ前記ロック状態保持部に係合することにより前記ストッパーが前記測定テープをロックした状態で、前記操作部は前記ケースの前記外面との間に隙間を隔てて配置されており、
前記操作部が前記隙間を小さくするように前記ケースの前記外面に向けて移動することにより前記板状弾性部と前記ロック状態保持部との係合が浅くなる、巻尺。
【請求項２】
前記板状弾性部は、前記ロック状態保持部に係合可能な係合部を含み、
前記係合部は、前記操作部が前記隙間を小さくするように前記ケースの前記外面に向けて移動する方向に沿って延びる係合面を含み、
前記ロック状態保持部が前記係合面に沿って移動することにより前記板状弾性部と前記ロック状態保持部との係合が浅くなる、請求項１に記載の巻尺。
【請求項３】
前記ケースは、前記内面に設けられたロック解除保持部を含み、
前記ストッパーが前記測定テープをロックした状態が解除されているときに、前記板状弾性部は前記ロック解除保持部に係合可能に構成されている、請求項１または２に記載の巻尺。
【請求項４】
前記ケースは、滑り止め部を含み、
前記ストッパーが前記測定テープをロックした状態で、前記滑り止め部は、前記板状弾性部とで前記測定テープを挟み込むように構成されている、請求項１〜３のいずれか１項に記載の巻尺。
【発明の詳細な説明】
【技術分野】
【０００１】
本発明は巻尺に関するものである。
【背景技術】
【０００２】
従来、測定テープをケースから引き出された状態でロックするためのストッパーを備えた巻尺がある。たとえば、実開平２−６３４０２号公報（特許文献１）には、このストッパーを備えた巻尺が記載されている。この公報に記載された巻尺では、ストッパーの弧状係止片の上端に形成された突起がケースのネジ用のボスに係合されることで測定テープがケースから引き出された状態でロックされる。
【先行技術文献】
【特許文献】
【０００３】
【特許文献１】実開平２−６３４０２号公報
【発明の概要】
【発明が解決しようとする課題】
【０００４】
上記公報に記載された巻尺では、測定テープのロックが解除されるときに、ストッパーとボスとの係合が解除され難いため、測定テープのロックを解除し難いという問題がある。
【０００５】
本発明は上記解題に鑑みてなされたものであり、その目的は、測定テープのロックを解除し易くすることができる巻尺を提供することである。
【課題を解決するための手段】
【０００６】
本発明の巻尺は、ケースと、ケース内に自動で巻き取られる測定テープと、測定テープがケースから引き出された状態で、測定テープをロック可能なストッパーとを備えている。ケースは、外面と、内面と、外面と内面とを貫通するスリットと、内面に設けられたロック状態保持部とを含んでいる。ストッパーは、スリットに挿入された接続部と、ケース外で接続部に接続された操作部と、ケース内で接続部に接続された板状弾性部とを含んでいる。板状弾性部が測定テープを押圧しつつロック状態保持部に係合することによりストッパーが測定テープをロックした状態で、操作部はケースの外面との間に隙間を隔てて配置されている。操作部が隙間を小さくするようにケースの外面に向けて移動することにより板状弾性部とロック状態保持部との係合が浅くなる。
【０００７】
本発明の巻尺によれば、操作部が隙間を小さくするようにケースの外面に向けて移動することにより板状弾性部とロック状態保持部との係合が浅くなる。このため、操作部が隙間を小さくするようにケースの外面に向けて移動することにより板状弾性部とロック状態保持部との係合が解除され易くなる。これにより、測定テープのロックを解除し易くすることができる。
【０００８】
上記の巻尺では、好ましくは、板状弾性部は、ロック状態保持部に係合可能な係合部を含んでいる。係合部は、操作部が隙間を小さくするようにケースの外面に向けて移動する方向に沿って延びる係合面を含んでいる。ロック状態保持部が係合面に沿って移動することにより板状弾性部とロック状態保持部との係合が浅くなる。このため、操作部が隙間を小さくするようにケースの外面に向けて移動することにより、係合面に沿って板状弾性部とロック状態保持部との係合が浅くなることで、板状弾性部とロック状態保持部との係合が解除され易くなる。
【０００９】
上記の巻尺では、好ましくは、ケースは、内面に設けられたロック解除保持部を含んでいる。ストッパーが測定テープをロックした状態が解除されているときに、板状弾性部はロック解除保持部に係合可能に構成されている。このため、板状弾性部がロック解除保持部に係合することにより測定テープのロックが解除された状態を維持することができる。
【００１０】
上記の巻尺では、好ましくは、ケースは、滑り止め部を含んでいる。ストッパーが測定テープをロックした状態で、滑り止め部は、板状弾性部とで測定テープを挟み込むように構成されている。このため、滑り止め部によりストッパーが測定テープをロックした状態を維持することが容易となる。したがって、測定時にはストッパーが測定テープをロックした状態を維持することを容易にするとともにロック解除時には測定テープのロックを解除し易くすることができる。
【発明の効果】
【００１１】
以上説明したように、本発明の巻尺によれば、測定テープのロックを解除し易くすることができる。
【図面の簡単な説明】
【００１２】
【図１】本発明の一実施の形態の巻尺の構成を概略的に示す斜視図である。
【図２】本発明の一実施の形態の巻尺の構成を概略的に示す側面図である。
【図３】図２のＩＩＩ−ＩＩＩ線に沿う断面図である。
【図４】図３のＩＶ部を拡大して示す拡大図である。
【図５】図１のＶ−Ｖ線に沿う断面図である。
【図６】本発明の一実施の形態の巻尺のストッパーを板状弾性部側から示す斜視図である。
【図７】本発明の一実施の形態の巻尺のストッパーを操作部側から示す斜視図である。
【図８】本発明の一実施の形態の巻尺における測定テープがロックされた状態を示す断面図である。
【図９】図８のＩＸ部を拡大して示す拡大図である。
【図１０】図８に示す操作部が移動した状態を示す断面図である。
【図１１】図８のＸＩ−ＸＩ線に沿う断面図である。
【発明を実施するための形態】
【００１３】
以下、本発明の一実施の形態について図に基づいて説明する。なお、同一または相当する部分に同一の参照符号を付し、その説明は、特に必要がなければ繰り返さない。
【００１４】
図１および図２を参照して、本実施の形態の巻尺１は、ケース１０と、測定テープ２０と、ストッパー３０と、カバー４０と、プレート５０と、クリップ６０とを主に有している。巻尺１は、測定テープ２０で測定対象物の長さ等を測定するためのものである。巻尺１は、測定テープ２０をケース１０に出し入れ可能に構成されている。
【００１５】
ケース１０は、測定テープ２０を出し入れ可能に収容するように構成されている。ケース１０は測定テープ２０を出し入れする出入口ＥＰを有している。ケース１０は、出入口ＥＰを通して図１中矢印Ａ１方向に測定テープ２０を出し入れ可能に構成されている。ケース１０の材料は、たとえば樹脂である。
【００１６】
測定テープ２０は、ケース１０内に自動で巻き取られるように構成されている。測定テープ２０は、幅方向に湾曲していてもよい。測定テープ２０は、鋼鉄製であってもよい。測定テープ２０の先端部に爪部２１が取り付けられている。爪部２１は、測定テープ２０がケース１０に収容された状態で、ケース１０の出入口ＥＰに係止されるように構成されている。爪部２１は、測定テープ２０がケース１０に収容された状態で、ケース１０の出入口ＥＰから露出している。
【００１７】
ストッパー３０はケース１０に支持されている。ストッパー３０は、測定テープ２０がケース１０から引き出された状態で、測定テープ２０をロック可能に構成されている。ストッパー３０は、測定テープ２０がケース１０から引き出された状態を維持可能に構成されている。
【００１８】
カバー４０は、ケース１０を覆うように構成されている。カバー４０は、巻尺１自体を保護するためのものである。また、カバー４０は、巻尺１に接触する物を保護するためのものである。また、カバー４０は滑り止めのためのものである。カバー４０の材料は、たとえばゴムである。カバー４０は、正面４０ａと、側面４０ｂと、背面４０ｃとを有している。側面４０ｂは、正面４０ａと背面４０ｃとの間に配置されている。側面４０ｂに開口部ＯＰが設けられている。ストッパー３０は、カバー４０の開口部ＯＰから露出している。
【００１９】
プレート５０は、カバー４０の正面４０ａに配置されている。プレート５０は、巻尺の製造会社および商品名などが表示されるように構成されている。プレート５０は、銘板として機能するものである。プレート５０の材料は、たとえば樹脂である。
【００２０】
クリップ６０は、カバー４０の背面４０ｃに配置されている。クリップ６０は、巻尺１の使用者のベルトなどに巻尺１を取り付け可能に構成されている。クリップ６０は、ねじによってカバー４０を介してケース１０に取り付けられている。クリップ６０の材料は、たとえば金属である。
【００２１】
図３を参照して、巻尺１は、巻取軸７０と、ボビン８０と、ゼンマイバネ９０とをさらに有している。巻取軸７０はケース１０に取り付けられている。ボビン８０は、巻取軸７０周りに回転するように構成されている。ボビン８０の外周側に測定テープ２０が巻き回されている。ボビン８０の内周側にゼンマイバネ９０が収容されている。ゼンマイバネ９０の基端部は巻取軸７０に取り付けられている。ゼンマイバネ９０の先端部は測定テープ２０の基端部に取り付けられている。
【００２２】
測定テープ２０は、ゼンマイバネ９０によって巻取軸７０周りに巻き取られるように付勢されている。このため、測定テープ２０がケース１０の出入口ＥＰから引き出される際には、ゼンマイバネ９０の付勢力に抗して測定テープ２０は引き出される。したがって、測定テープ２０がケース１０の出入口ＥＰから引き出された状態で、測定テープ２０を引き出す力が解除されると、ゼンマイバネ９０の付勢力によって測定テープ２０はケース１０内に引き戻される。また、測定テープ２０がストッパー３０によってロックされた場合には、測定テープ２０はストッパー３０によってケース１０から引き出された状態で維持される。
【００２３】
図３および図４を参照して、ケース１０は、外面１０ａと、内面１０ｂと、スリット１０ｃと、ロック解除保持部１１と、ロック状態保持部１２とを含んでいる。スリット１０ｃは、ケース１０の外面１０ａと内面１０ｂとを貫通するように構成されている。スリット１０ｃは、ケース１０の側壁に沿って上下に延在するように構成されている。
【００２４】
図４および図５を参照して、ロック解除保持部１１は、ケース１０の内面１０ｂに設けられている。本実施の形態では、ロック解除保持部１１は、ケース１０の内面１０ｂからケース１０内に突出している。ロック状態保持部１２は、ケース１０の内面１０ｂに設けられている。本実施の形態では、ロック状態保持部１２は、ケース１０の内面１０ｂからケース１０内に突出している。ロック解除保持部１１とロック状態保持部１２とは互いに間隔を空けて配置されている。ロック解除保持部１１は、ケース１０の出入口ＥＰからロック状態保持部１２よりも離れて配置されている。
【００２５】
なお、上記では、ロック解除保持部１１およびロック状態保持部１２は、ケース１０の内面１０ｂからケース１０内に突出している。しかしながら、ロック解除保持部１１およびロック状態保持部１２は、ケース１０の内面１０ｂが外面１０ａに向けて凹むように構成されていてもよい。
【００２６】
図３および図５を参照して、ストッパー３０は、接続部３１と、操作部３２と、板状弾性部３３とを含んでいる。なお、図５では、見やすくするために、測定テープ２０などは図示されていない。接続部３１は、操作部３２と板状弾性部３３とを接続するように構成されている。接続部３１は、スリット１０ｃに挿入されている。操作部３２は、ケース１０外で接続部３１に接続されている。操作部３２は、使用者がストッパー３０を操作するためのものである。板状弾性部３３は、ケース１０内で接続部３１に接続されている。板状弾性部３３は、全体として板状に構成されている。板状弾性部３３は、全体として湾曲するように構成されている。板状弾性部３３は、弾性を有している。ストッパー３０が測定テープ２０をロックした状態が解除されているときに、板状弾性部３３はロック解除保持部１１に係合可能に構成されている。
【００２７】
図６および図７を参照して、板状弾性部３３は、一方端部３３ａと、他方端部３３ｂと、係合部ＬＰと、突出部ＰＰと、当接部ＣＰとを含んでいる。板状弾性部３３は、一方端部３３ａを自由端として接続部３１に片持ち支持されており、他方端部３３ｂを自由端として接続部３１に片持ち支持されている。
【００２８】
板状弾性部３３の一方端部３３ａは、操作部３２と間隔を空けて向かい合うように配置されている。一方端部３３ａは、一方端部３３ａと操作部３２とが間隔を空けて向かい合う方向と交差する方向に板状弾性部３３の中央部から張り出すように構成されている。板状弾性部３３の他方端部３３ｂは、一方端部３３ａと操作部３２とが間隔を空けて向かい合う方向と交差する方向に板状弾性部３３の中央部から張り出すように構成されている。
【００２９】
他方端部３３ｂは、板状弾性部３３の中央部に対して一方端部３３ａが湾曲する方向と反対方向に湾曲している。他方端部３３ｂは、先端に向けて当該交差する方向の両端に分岐するように構成されている。つまり、他方端部３３ｂは、先端に向けて二股に分かれるように構成されている。他方端部３３ｂの先端に当接部ＣＰが設けられている。当接部ＣＰは測定テープ２０に当接して測定テープ２０をロック可能に構成されている。
【００３０】
図３および図７を参照して、板状弾性部３３の一方端部３３ａは、ケース１０の出入口ＥＰから他方端部３３ｂよりも離れて配置されている。一方端部３３ａの基端部に突出部ＰＰが設けられている。突出部ＰＰは、ケース１０の内面１０ｂに向けて突出するように構成されている。突出部ＰＰは、ロック解除保持部１１に係合可能に構成されている。突出部ＰＰは一方端部３３ａの幅方向に延在するように構成されている。
【００３１】
一方端部３３ａの先端に係合部ＬＰが設けられている。係合部ＬＰは、ロック状態保持部１２に係合可能に構成されている。係合部ＬＰは、係合面ＥＳを含んでいる。係合面ＥＳは、操作部３２が隙間ＧＰを小さくするようにケース１０の外面１０ａに向けて移動する方向に沿って延びるように構成されている。係合面ＥＳは平面状に構成されている。ロック状態保持部１２は、係合面ＥＳに沿って延びるように構成されている。
【００３２】
図３および図５を参照して、本実施の形態では、ケース１０は、滑り止め部１００を含んでいる。滑り止め部１００は、ケース１０内に配置されている。滑り止め部１００は、本体部１０１と、２つの突起部１０２とを含んでいる。本体部１０１は、板状に構成されている。２つの突起部１０２はそれぞれ本体部１０１から測定テープ２０に向けて突き出している。２つの突起部１０２は互いに間隔を空けて配置されている。
【００３３】
滑り止め部１００は摩擦係数が高い材料で構成されていることが好ましい。また、滑り止め部１００はクッション性を有する材料で構成されていることが好ましい。滑り止め部１００の材料は、たとえばゴムである。ストッパー３０が測定テープ２０をロックした状態で、滑り止め部１００は、板状弾性部３３とで測定テープ２０を挟み込むように構成されている。
【００３４】
図４および図７を参照して、板状弾性部３３の一方端部３３ａの先端において係合面ＥＳと一方端部３３ａの前面とのなす角度ＡＡは、一方端部３３ａの基端部において突出部ＰＰと一方端部３３ａの前面とのなす角度ＡＢよりも小さい。
【００３５】
図８および図９を参照して、操作部３２が操作されることで測定テープ２０がストッパー３０によってロックされる。具体的には、操作部３２がケース１０の外面１０ａに沿って下方に移動することで測定テープ２０がストッパー３０によってロックされる。
【００３６】
板状弾性部３３が測定テープ２０を押圧しつつロック状態保持部１２に係合することによりストッパー３０が測定テープ２０をロックする。具体的には、板状弾性部３３の係合部ＬＰがロック状態保持部１２に係合されている。この状態で、操作部３２はケース１０の外面１０ａとの間に隙間ＧＰを隔てて配置されている。図９中矢印Ａ２で示されるように、板状弾性部３３が測定テープ２０を押圧することによって測定テープ２０からの反力が作用する。この反力は、板状弾性部３３の一方端部３３ａをケース１０の内面１０ｂに向けて移動させるように作用する。
【００３７】
図１０を参照して、測定テープ２０のロックが解除されるときには、図１０中矢印Ａ３で示されるように、操作部３２が隙間ＧＰを小さくするようにケース１０の外面１０ａに向けて移動する。操作部３２が隙間ＧＰを小さくするようにケース１０の外面１０ａに向けて移動することにより板状弾性部３３とロック状態保持部１２との係合が浅くなる。本実施の形態では、ロック状態保持部１２が係合面ＥＳに沿って移動することにより板状弾性部３３とロック状態保持部１２との係合が浅くなる。板状弾性部３３とロック状態保持部１２との係合が浅くなった状態で、図１０中矢印Ａ４で示されるように、操作部３２が斜め上方に移動することで測定テープ２０のロックが解除される。
【００３８】
図１１を参照して、測定テープ２０がストッパー３０によってロックされるときには、板状弾性部３３の他方端部３３ｂに設けられた当接部ＣＰが測定テープ２０の上面に当接する。また、滑り止め部１００が測定テープ２０の下面に当接する。滑り止め部１００の突起部１０２が主に測定テープ２０の下面に当接する。このようにして当接部ＣＰと滑り止め部１００との間に測定テープ２０が挟み込まれることにより測定テープ２０がストッパー３０によってロックされる。
【００３９】
次に本実施の形態の巻尺１の作用効果について説明する。
本実施の形態の巻尺１によれば、操作部３２が隙間を小さくするようにケース１０の外面１０ａに向けて移動することにより板状弾性部３３とロック状態保持部１２との係合が浅くなる。このため、操作部３２が隙間ＧＰを小さくするようにケース１０の外面１０ａに向けて移動することにより板状弾性部３３とロック状態保持部１２との係合が解除され易くなる。これにより、測定テープ２０のロックを解除し易くすることができる。
【００４０】
測定時に、測定テープ２０のロックが解除されることがある。たとえば、使用者が測定テープ２０の先端に設けられた爪部２１を被測定物に引掛けて測定するときなどに、測定テープ２０とストッパー３０との係合が解除されることで測定テープ２０のロックが解除される。測定時に、測定テープ２０のロックが解除され難くするために、板状弾性部３３の突起を大きくすることにより、板状弾性部３３とロック状態保持部１２との間で測定テープ２０のロック状態の固定力を強くすることができる。本実施の形態の巻尺１では、使用者が測定テープ２０をケースに収容するときに、測定テープ２０のロックを解除し易くすることができる。このため、測定テープ２０のロック状態の固定力を強くしつつ測定テープ２０のロックを解除し易くすることができる。
【００４１】
測定テープ２０の表面がコーティングされている場合には、コーティング素材の摩擦係数によっては測定時に測定テープ２０のロックが解除されることがある。コーティング素材は、たとえば、ナイロン、塩化ビニル、アクリルである。本実施の形態の巻尺１では、測定テープ２０のロック状態の固定力を強くしつつ測定テープ２０のロックを解除し易くすることができる。このため、コーティング素材の摩擦係数が低い場合には測定テープ２０のロック状態の固定力を強く設定しつつ測定テープ２０のロックを解除し易くすることができる。したがって、コーティング素材の摩擦係数に関わらず、不意にロックが解除され難い。
【００４２】
本実施の形態の巻尺１では、好ましくは、係合部ＬＰは、操作部３２が隙間ＧＰを小さくするようにケース１０の外面１０ａに向けて移動する方向に沿って延びる係合面ＥＳを含んでいる。ロック状態保持部１２が係合面ＥＳに沿って移動することにより板状弾性部３３とロック状態保持部１２との係合が浅くなる。このため、操作部３２が隙間ＧＰを小さくするようにケース１０の外面１０ａに向けて移動することにより、係合面ＥＳに沿って板状弾性部３３とロック状態保持部１２との係合が浅くなることで、板状弾性部３３とロック状態保持部１２との係合が解除され易くなる。
【００４３】
本実施の形態の巻尺１では、好ましくは、ストッパー３０が測定テープ２０をロックした状態が解除されているときに、板状弾性部３３はロック解除保持部１１に係合可能に構成されている。このため、板状弾性部３３がロック解除保持部１１に係合することにより測定テープ２０のロックが解除された状態を維持することができる。
【００４４】
本実施の形態の巻尺１では、好ましくは、ストッパー３０が測定テープ２０をロックした状態で、滑り止め部１００は、板状弾性部３３とで測定テープ２０を挟み込むように構成されている。このため、滑り止め部１００によりストッパー３０が測定テープ２０をロックした状態を維持することが容易となる。したがって、測定時にはストッパー３０が測定テープ２０をロックした状態を維持することを容易にするとともにロック解除時には測定テープ２０のロックを解除し易くすることができる。
【００４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００４６】
１  巻尺、１０  ケース、１０ａ  外面、１０ｂ  内面、１０ｃ  スリット、１１  ロック解除保持部、１２  ロック状態保持部、２０  測定テープ、２１  爪部、３０  ストッパー、３１  接続部、３２  操作部、３３  板状弾性部、３３ａ  一方端部、３３ｂ  他方端部、４０  カバー、５０  プレート、６０  クリップ、７０  軸、８０  ボビン、９０  ゼンマイバネ、１００  滑り止め部、ＣＰ  当接部、ＥＰ  出入口、ＥＳ  係合面、ＧＰ  隙間、ＬＰ  係合部、ＯＰ  開口部、ＰＰ  突出部。
【図１】
2020030078.tif 000003
【図２】
2020030078.tif 000004
【図３】
2020030078.tif 000005
【図４】
2020030078.tif 000006
【図５】
2020030078.tif 000007
【図６】
2020030078.tif 000008
【図７】
2020030078.tif 000009
【図８】
2020030078.tif 000010
【図９】
2020030078.tif 000011
【図１０】
2020030078.tif 000012
【図１１】
2020030078.tif 000013